(57)【要約】      （修正有）【課題】楕円形から創出した半楕円形の反射鏡の楕円形上での長軸の二箇所の焦点に放電管を配置し、これを切り替え使用することによって被写体に対して広角、夾角を実施でき、構造が簡単で、機構的故障も生じないコンパクトなストロボの発光部装置を提供する。【解決手段】必要に応じて、電力供給を行なうバッテリ、マイコン、昇圧回路、インターフェイス回路等からなる電源部と発光を司るコンデンサー、反射鏡、放電管等からなるヘッド部とから構成されるストロボにおいて、楕円形から創出した半楕円状に形成した反射鏡と、この反射鏡の前記楕円形の複数の焦点に対応する位置であって且つ前記反射鏡に平行に配置した複数の放電管とからなり、この複数の放電管を選択的に切り替えて放電することによって、被写体に対する照射角度を広角或いは夾角に照射できるストロボの発光部装置。【選択図】図１
2010128117.tif 000002
【特許請求の範囲】
【請求項１】
必要に応じて、電力供給を行なうバッテリ、マイコン、昇圧回路、インターフェイス回路等からなる電源部と発光を司るコンデンサー、反射鏡、放電管等からなるヘッド部とから構成されるストロボにおいて、楕円形から創出した半楕円状に形成した反射鏡と、この反射鏡の前記楕円形の複数の焦点に対応する位置であって且つ前記反射鏡に平行に配置した複数の放電管とからなり、この複数の放電管を選択的に切り替えて放電することによって、被写体に対する照射角度を広角或いは夾角に照射できるストロボの発光部装置。
【請求項２】
前記半楕円形の反射鏡上であって、前記半楕円形を創出した楕円形の二つの焦点が長い一方の焦点に置かれた放電管を夾角照射放電管として用い、二つの焦点が短い他方の焦点に置かれた放電管を広角照射放電管として用いることを特徴とする前記請求項１記載のストロボの発光部装置。
【発明の詳細な説明】
【技術分野】
【０００１】
本発明は、楕円形から創出した半楕円状に形成した反射鏡と、この反射鏡の前記楕円形の複数の焦点に対応する位置であって且つ前記反射鏡に平行に配置した複数の放電管とからなり、この複数の放電管を選択的に切り替えて放電することによって、被写体に対する照射角度を広角或いは夾角に照射できるストロボの発光部装置で比較的単純な構造で実現したものである。
【背景技術】
【０００２】
従来、バッテリ、マイコン、昇圧回路、インターフェイス回路、コンデンサー、反射鏡、放電管等からなるストロボにおいて、被写体に対する照射角を可変にする装置としては前面に一本の放電管を配置した反射鏡を被写体方向に前後に移動させて所定の位置で停止させ広角或いは夾角の照射角を得る機能をもったものが販売されているが、これは反射鏡を前後に移動するのに歯車連動機構を用いているので複雑な機構になっているばかりかしばしば移動のスムーズ性を欠いている現象が生じている。
【０００３】
特許文献１は反射鏡の前に放電管を配置したもので、ごく一般的なストロボであるが、この場合の放電管は１本であり、被写体に対して夾角、広角の働きができるものではなく、工夫がされたものではないものである。従って、複数の放電管を配置して照射角を変更する技術手段はないものである。
【特許文献１】特開２００３−１０７５６８号公報
【発明の開示】
【発明が解決しようとする課題】
【０００４】
本発明が解決しようとする問題点は、楕円形から創出した半楕円形の反射鏡の楕円形上での長軸の二箇所の焦点に放電管を配置し、これを切り替え使用することによって被写体に対して広角、夾角を実施でき、構造が簡単で、機構的故障も生じないコンパクトなストロボの発光部装置を提供する課題にある。
【課題を解決するための手段】
【０００５】
本発明は課題解決の手段として、必要に応じて、電力供給を行なうバッテリ、マイコン、昇圧回路、インターフェイス回路等からなる電源部と発光を司るコンデンサー、反射鏡、放電管等からなるヘッド部とから構成されるストロボにおいて、楕円形から創出した半楕円状に形成した反射鏡と、この反射鏡の前記楕円形の複数の焦点に対応する位置であって且つ前記反射鏡に平行に配置した複数の放電管とからなり、この複数の放電管を選択的に切り替えて放電することによって、被写体に対する照射角度を広角或いは夾角に照射できるストロボの発光部装置である。
【発明の効果】
【０００６】
請求項１記載の発明によれば、楕円形から創出した半楕円形の反射鏡の楕円形上での長軸の二箇所の焦点に放電管を配置し、これを切り替え使用することによって被写体に対して広角、夾角を実施でき、構造が簡単で、しかも機構的に動作する箇所は無いので機構上の故障も生じない効果があるコンパクトなストロボの発光部装置が提供できる。
請求項２記載の発明によれば、前記半楕円形の反射鏡上であって、前記半楕円形を創出した楕円形の二つの焦点が長い一方の焦点に置かれた放電管を夾角照射放電管として用い、二つの焦点が短い他方の焦点に置かれた放電管を広角照射放電管として用いることができるので各放電管の互いの位置設定も容易な効果があるストロボの発光部装置が提供できる。
【発明を実施するための最良の形態】
【０００７】
本発明は、楕円形から創出した半楕円形の反射鏡の楕円形上での長軸の二箇所の焦点に放電管を配置し、これを電子回路によって使用者が切り替え使用することによって被写体に対して広角、夾角を実施でき、構造が簡単で、しかも機構的に動作する箇所は無いので機構上の故障も生ぜず、しかも構造的な空間占有が大きくなるようなことがないものである。
【０００８】
以下に、本発明の実施例に係るストロボの発光部装置の構成を図１、図２を参照して詳細に説明する。図１は構造図で図２は図１の放電管を選択的に駆動する回路図である。
【０００９】
１は通常使用されている反射鏡で、この反射鏡１は半楕円形形状に形成されている。即ち反射鏡１は、横断面が楕円形から創出した半楕円状に形成したもので、通常反射鏡１は図面を突き抜ける方向に長尺な構造で形成し、表面が鏡面で構成される。この反射鏡１の前面には２本の第一放電管２及び第二放電管３が平行して配置される。
【００１０】
即ち二本の放電管２及び３の両端は図示しないが反射鏡１の両端の壁を構成する壁部に取り付けられる。
前記第一放電管２及び第二放電管３は半楕円状を創出した楕円形の長軸の焦点上に配置される。この場合焦点は二箇所確保されている。そして、第一放電管２及び第二放電管３はその横断方向である半径方向に平行的に配置される。
【００１１】
次に前記第一放電管２及び第二放電管３を選択的に放電させる回路は図２に示すようになる。図２で５はコンデンサーで、２及び３は図１で示した第一放電管及び第二放電管である。６及び７は第一放電管及び第二放電管を駆動する駆動回路であるトタンジスタ回路である。
【００１２】
以上の構成において、第一放電管２を発光させて広角照射を被写体に行なおうとする場合、前記第一放電管２に対応するトランジスタ回路６をオンする。これによって第一放電管は発光し被写体に図の矢印Ｗのように広角に光を照射できる。
【００１３】
次に夾角に被写体に照射する場合は前記第二放電管３のトランジスタ回路７をオンして第二放電管３を発光させる。この第二放電管３は前記第一放電管２より後方、即ち反射鏡１の面に近い箇所に配置されているから図の矢印Ｉで示す夾角の照射が実現できる。
【産業上の利用可能性】
【００１４】
本発明のストロボの発光部装置は照射角を機械的可動部を要せずして可変できるので故障といったことも無く、設定も容易であり産業上有用である。
【図面の簡単な説明】
【００１５】
【図１】本発明の実施例を説明するためのストロボの発光部の概略図。
【図２】図１の発光部を発光させる回路図である。
【符号の説明】
【００１６】
１    反射鏡
２    第一放電管
３    第二放電管
５    コンデンサー
６、７トランジスタ回路
【図１】
2010128117.tif 000003
【図２】
2010128117.tif 000004